(57)【特許請求の範囲】
【請求項１】
硬貨の収納及び払出しをする硬貨処理装置において、
前記硬貨を収納する着脱可能なカセットチューブと、
前記カセットチューブの背後に設けられた釣銭硬貨の払出し機構と、を有し、
前記カセットチューブは、背面にかぎ型の突起を備え、
前記釣銭硬貨の払出し機構は、前記カセットチューブのかぎ型の突起と係合するスリットを有した係合部材を備え、
前記釣銭硬貨の払出し機構の払出し動作により前記係合部材が回転して前記カセットチューブのかぎ型の突起が前記係合部材にロックされることを特徴とする硬貨処理装置。
【請求項２】
前記係合部材は、前記釣銭硬貨の払出し機構の歯車軸に取り付けられ、前記歯車軸とともに回転する溝付きのカムであることを特徴とする請求項１記載の硬貨処理装置。
【発明の詳細な説明】
【技術分野】
【０００１】
本発明は、自動販売機、両替機等に使用され、硬貨の収納及び払出しをする硬貨処理装置に関する。
【背景技術】
【０００２】
自動販売機、両替機等では、投入された硬貨を識別し、収納もしくは返却する硬貨処理装置が使用されている。また、自動販売機には、販売した商品に対する釣銭の払出し機能を有した硬貨処理装置も使用されている。このような硬貨処理装置において、通常時の硬貨の払出し速度を下げることなく、常に確実な支払いができるようにすることが提案されている（例えば特許文献１参照）。これは、硬貨の収納量が少なくなってきたときに、払出しの時間間隔を自動的に長くとるように制御して、釣銭硬貨の払出しを確実にするものである。また、釣銭管理機能に不必要なカセットチューブの着脱を防止するために、カセットチューブが装着されたときに、カセットチューブをソレノイドにより強制ロックして取り外しを防止することも提案されている（例えば特許文献２参照）。
【特許文献１】特開平５−３４６９８２号公報
【特許文献２】特開２０００−１８７７５３号公報
【発明の開示】
【発明が解決しようとする課題】
【０００３】
しかしながら、上記のような従来の硬貨処理装置においては、釣銭硬貨の払出し時に、保守、点検の際の釣銭回収時にルートマンが誤ってカセットチューブを外してしまうことがあるが、これを防止する手段が設けられていない。このため、払出し機構の払出し板が動いている最中にカセットチューブを取り外そうとしたときに払出し板が変形したり、割れてしまい、装置が正常に動作しなくなり、本体装置が機能しなくなるという問題点がある。
【０００４】
本発明は、このような点に鑑みてなされたものであり、安価な構成で、釣銭硬貨の払出し中にカセットチューブを着脱するのを防止でき、払出し板の変形や割れによる異常発生を防止することができる硬貨処理装置を提供することを目的とする。
【課題を解決するための手段】
【０００５】
本発明では上記課題を解決するために、硬貨の収納及び払出しをする硬貨処理装置において、前記硬貨を収納する着脱可能なカセットチューブと、前記カセットチューブの背後に設けられた釣銭硬貨の払出し機構と、を有し、前記カセットチューブは、背面にかぎ型の突起を備え、前記釣銭硬貨の払出し機構は、前記カセットチューブのかぎ型の突起と係合するスリットを有した係合部材を備え、前記釣銭硬貨の払出し機構の払出し動作により前記係合部材が回転して前記カセットチューブのかぎ型の突起が前記係合部材にロックされることを特徴とする硬貨処理装置が提供される。
【０００６】
このような硬貨処理装置によれば、釣銭硬貨の払出し動作によりカセットチューブのかぎ型の突起が払出し機構の係合部材にロックされ、安価な構成で、釣銭硬貨の払出し中にカセットチューブを着脱するのを防止でき、払出し板の変形や割れによる異常発生を防止することができる。
【発明の効果】
【０００７】
本発明の硬貨処理装置は、釣銭硬貨の払出し動作によりカセットチューブのかぎ型の突起が払出し機構の係合部材にロックされるため、安価な構成で、釣銭硬貨の払出し中にカセットチューブを着脱するのを防止でき、払出し板の変形や割れによる異常発生を防止することができるという利点がある。
【発明を実施するための最良の形態】
【０００８】
以下、本発明の実施の形態を図面を参照して説明する。
図１は本発明の実施の形態の硬貨処理装置の外観を示す正面図である。この硬貨処理装置は、自動販売機に搭載されたもので、硬貨を受け入れる投入口１と、その下側で硬貨を識別する識別部２と、識別された硬貨を一時的に保留する保留部３と、硬貨を収納する着脱可能なカセットチューブ４を備えている。
【０００９】
投入口１から投入された硬貨は、識別部２で本物かどうかが識別された後、保留部３に一時保留される。偽物と識別された硬貨はこの保留部３から投入口１へ返却され、また商品の購入が中止された場合も、その硬貨は投入口１へ返却される。商品の販売が成立すると、保留部３の硬貨は金種別にカセットチューブ４に収納される。釣銭がある場合には、その釣銭硬貨はカセットチューブ４から取り出されて返却される。
【００１０】
図２は本実施の形態の硬貨処理装置の要部を示す斜視図である。カセットチューブ４の背後には、釣銭硬貨の払出し機構であるギアボックス５が設けられている。カセットチューブ４は背面にかぎ型の突起４１を備えており、ギアボックス５はこのカセットチューブ４のかぎ型の突起４１と係合するスリット６１を有した溝付きのカム６を係合部材として備えている。このカム６は、ギアボックス５の上部の歯車軸に取り付けられ、前記歯車軸とともに回転する。そして、釣銭硬貨の払出し機構であるギアボックス５の払出し動作によりカム６が回転して、カセットチューブ４のかぎ型の突起４１がカム６にロックされるようになっている。
【００１１】
図３は上記カム６の動作を示す図であり、（Ａ）は待機時の状態、（Ｂ）は払出し時の状態をそれぞれ示している。待機時には、カセットチューブ４のかぎ型の突起４１はギアボックス５にセットされたカム６のスリット６１に挿入され、カセットチューブ４はスリット６１を通して着脱可能な状態にある。払出し時には、ギアボックス５にセットされたカム６は払出し動作に連動して回転し、これによりカセットチューブ４のかぎ型の突起４１とカム６の溝が嵌合し、カセットチューブ４は着脱不可能になる。
【００１２】
このように、ギアボックス５の釣銭硬貨の払出し動作に連動してカム６が回転し、カセットチューブ４のかぎ型の突起４１がギアボックス５に取り付けたカム６にロックされるため、釣銭硬貨の払出し中にカセットチューブ４を着脱するのを防止でき、払出し板の変形や割れによる異常発生を防止することができる。また、カム６は既存のギアボックス５に取り付けており、このギアボックス５から駆動源を得ているので、前述のソレノイドによる強制ロックで着脱を防止する場合に比べて、安価な構成とすることができる。
【００１３】
図４は本実施の形態のカセットチューブ４の外観を示す正面図である。また、図５は本実施の形態のカム６の形状を示す図であり、（Ａ）は上面図、（Ｂ）は側面図、（Ｃ）は正面図、（Ｄ）は側面図、（Ｅ）は背面図、（Ｆ）は下面図である。カム６にはカセットチューブ４のかぎ型の突起４１と係合するスリット６１が設けられ、また回転時（動作時）に突起４１と嵌合する上述の溝６２が設けられている。
【００１４】
図６はカセットチューブ４の要部を示す図であり、（Ａ）はかぎ型の突起４１を設けた形状、（Ｂ）はかぎ型の突起４１がない場合を示している。また、図７はギアボックス５の要部を示す図であり、（Ａ）はカム６を設けた形状、（Ｂ）はカム６がない場合を示している。
【図面の簡単な説明】
【００１５】
【図１】本発明の実施の形態の硬貨処理装置の外観を示す正面図である。
【図２】実施の形態の硬貨処理装置の要部を示す斜視図である。
【図３】実施の形態のカムの動作を示す図である。
【図４】実施の形態のカセットチューブの外観を示す正面図である。
【図５】実施の形態のカムの形状を示す図である。
【図６】実施の形態のカセットチューブの要部を示す図である。
【図７】実施の形態のギアボックスの要部を示す図である。
【符号の説明】
【００１６】
１  投入口
２  識別部
３  保留部
４  カセットチューブ
５  ギアボックス
６  カム
４１  突起
６１  スリット
６２  溝
【図１】
0004501825.tif 000002
【図２】
0004501825.tif 000003
【図３】
0004501825.tif 000004
【図４】
0004501825.tif 000005
【図５】
0004501825.tif 000006
【図６】
0004501825.tif 000007
【図７】
0004501825.tif 000008